(57)【要約】【課題】ユーザが簡単な手続でショッピング番組で紹介された商品を注文することができる。【解決手段】放送局２によって放送される番組を視聴して商品を購入する際、購入希望の商品が紹介されているときに、受信機３０の商品購入釦３９ａを操作するだけでよいことから、操作性の向上を図ることができると共に、商品の紹介時間データに関連付けられている暗号鍵で商品ＩＤと受信機ＩＤとを暗号化して放送装置１０に送信するようにすることで、安全にこれらのデータを放送装置１０に送信することができる。【選択図】　図１
2004126744.tif 000002
【特許請求の範囲】
【請求項１】
放送局により放送される商品識別データと放送内容特定データとを含む商品販売データを受信機識別データが割り振られた受信機で受信する受信機受信ステップと、
ユーザ操作に応じて、上記受信機により受信される上記放送内容特定データに基づいて特定される鍵データにより、上記受信機が、上記商品識別データ及び上記受信機識別データを暗号化して暗号化データを出力する暗号化ステップと、
上記受信機が上記放送内容特定データと上記暗号化データとを上記放送局に送信する暗号化データ送信ステップと、
上記放送局が、上記放送内容特定データと上記暗号化データとを受信すると共に、上記放送内容特定データに基づいて鍵データを特定し上記暗号化データから上記商品識別データ及び上記受信機識別データを復号する復号ステップと、
上記放送局が、上記放送内容特定データと上記商品識別データとが対応づけられたテーブルに基づいて、上記放送内容特定データと上記復号された商品識別データとを認証する認証ステップと、
上記認証ステップにより認証されたとき、上記放送局が、上記商品識別データと金額データとが対応づけられたテーブルに基づいて上記商品識別データに対応する金額データを検出する金額データ検出ステップと、
上記放送局が、上記受信機識別データに対応づけた上記金額データに基づく課金データを生成する課金データ生成ステップとを有する通信方法。
【請求項２】
更に、上記放送局は、上記復号した受信機識別データを更なる受信機識別データに変換し、この受信機識別データと上記商品識別データを商品販売業者端末装置に送信する請求項１記載の通信方法。
【請求項３】
更に、上記受信機が上記商品識別データと放送内容特定データとを含む商品販売データを記録媒体に記録する記録ステップと、
上記記録された上記商品販売データを再生する再生ステップとを有し、
上記暗号化ステップでは、ユーザ操作に応じて、上記再生される上記商品販売データに含まれる放送内容特定データに基づいて特定される鍵データにより、上記商品識別データ及び上記受信機識別データを暗号化して暗号化データを出力する請求項１記載の通信方法。
【請求項４】
放送局が放送した放送信号を受信機識別データが割り振られた受信機で受信する通信システムにおいて、
放送される商品識別データと放送内容特定データとを含む商品販売データを受信する受信機受信手段と、
ユーザ操作に応じて、上記受信機受信手段により受信される上記放送内容特定データに基づいて特定される鍵データにより、上記商品識別データ及び上記受信機識別データを暗号化して暗号化データを出力する暗号化手段と、
上記放送内容特定データと上記暗号化データとを送信する暗号化データ送信手段と、
上記暗号化データ送信手段より送信された上記放送内容特定データと上記暗号化データとを受信すると共に、上記放送内容特定データに基づいて鍵データを特定し上記暗号化データから上記商品識別データ及び上記受信機識別データを復号する復号手段と、
上記放送内容特定データと上記商品識別データとが対応づけられたテーブルに基づいて、上記放送内容特定データと上記復号された商品識別データとを認証する認証手段と、
上記認証手段により認証されたとき、上記商品識別データと金額データとが対応づけられたテーブルに基づいて上記商品識別データに対応する金額データを検出する金額データ検出手段と、
上記受信機識別データに対応づけた上記金額データに基づく課金データを生成する課金データ生成手段とを備える通信システム。
【請求項５】
更に、上記放送局は、上記復号した受信機識別データを更なる受信機識別データに変換する変換手段と、
上記変換手段が変換した受信機識別データと上記商品識別データを商品販売業者端末装置に送信する送信手段とを備える請求項４記載の通信システム。
【請求項６】
更に、上記受信機が上記商品識別データと放送内容特定データとを含む商品販売データを記録媒体に記録する記録手段と、
上記記録された上記商品販売データを再生する再生手段とを有し、
上記暗号化手段は、ユーザ操作に応じて、上記再生される上記商品販売データに含まれる放送内容特定データに基づいて特定される鍵データにより、上記商品識別データ及び上記受信機識別データを暗号化して暗号化データを出力する請求項４記載の通信システム。
【請求項７】
商品識別データと放送内容特定データとを含む商品販売データを放送する放送ステップと、
受信機識別データが割り振られた受信機により受信される上記放送内容特定データに基づいて特定される鍵データにより暗号化された上記商品識別データ及び上記受信機識別データの暗号化データと上記放送内容特定データと受信する暗号化データ受信ステップと、
上記受信した放送内容特定データに基づいて鍵データを特定し上記暗号化データから上記商品識別データ及び上記受信機識別データを復号する復号ステップと、
上記放送内容特定データと上記商品識別データとが対応づけられたテーブルに基づいて、上記放送内容特定データと上記復号された商品識別データとを認証する認証ステップと、
上記認証ステップにより認証されたとき、上記商品識別データと金額データとが対応づけられたテーブルに基づいて上記商品識別データに対応する金額データを検出する金額データ検出ステップと、
上記受信機識別データに対応づけた上記金額データに基づく課金データを生成する課金データ生成ステップとを有する通信方法。
【請求項８】
更に、上記復号した受信機識別データを更なる受信機識別データに変換し、この受信機識別データと上記商品識別データを商品販売業者端末装置に送信するステップを有する請求項７記載の通信方法。
【請求項９】
商品識別データと放送内容特定データとを含む商品販売データを放送する放送手段と、
受信機識別データが割り振られた受信機により受信される上記放送内容特定データに基づいて特定される鍵データにより暗号化された上記商品識別データ及び上記受信機識別データの暗号化データと上記放送内容特定データと受信する暗号化データ受信手段と、
上記暗号化データ受信手段で受信した放送内容特定データに基づいて鍵データを特定し上記暗号化データから上記商品識別データ及び上記受信機識別データを復号する復号手段と、
上記放送内容特定データと上記商品識別データとが対応づけられたテーブルに基づいて、上記放送内容特定データと上記復号された商品識別データとを認証する認証手段と、
上記認証手段により認証されたとき、上記商品識別データと金額データとが対応づけられたテーブルに基づいて上記商品識別データに対応する金額データを検出する金額データ検出手段と、
上記受信機識別データに対応づけた上記金額データに基づく課金データを生成する課金データ生成手段とを備える放送装置。
【請求項１０】
コンピュータにより実行可能なコンピュータプログラムであって、
商品識別データと放送内容特定データとを含む商品販売データを放送する放送ステップと、
受信機識別データが割り振られた受信機により受信される上記放送内容特定データに基づいて特定される鍵データにより暗号化された上記商品識別データ及び上記受信機識別データの暗号化データと上記放送内容特定データと受信し、上記受信した放送内容特定データに基づいて鍵データを特定し上記暗号化データから上記商品識別データ及び上記受信機識別データを復号する復号ステップと、
上記放送内容特定データと上記商品識別データとが対応づけられたテーブルに基づいて、上記放送内容特定データと上記復号された商品識別データとを認証する認証ステップと、
上記認証ステップにより認証されたとき、上記商品識別データと金額データとが対応づけられたテーブルに基づいて上記商品識別データに対応する金額データを検出する金額データ検出ステップと、
上記受信機識別データに対応づけた上記金額データに基づく課金データを生成する課金データ生成ステップとを有するコンピュータプログラム。
【請求項１１】
コンピュータにより実行可能なコンピュータプログラムが記録された記録媒体であって、
上記コンピュータプログラムは、商品識別データと放送内容特定データとを含む商品販売データを放送する放送ステップと、
受信機識別データが割り振られた受信機により受信される上記放送内容特定データに基づいて特定される鍵データにより暗号化された上記商品識別データ及び上記受信機識別データの暗号化データと上記放送内容特定データと受信し、上記受信した放送内容特定データに基づいて鍵データを特定し上記暗号化データから上記商品識別データ及び上記受信機識別データを復号する復号ステップと、
上記放送内容特定データと上記商品識別データとが対応づけられたテーブルに基づいて、上記放送内容特定データと上記復号された商品識別データとを認証する認証ステップと、
上記認証ステップにより認証されたとき、上記商品識別データと金額データとが対応づけられたテーブルに基づいて上記商品識別データに対応する金額データを検出する金額データ検出ステップと、
上記受信機識別データに対応づけた上記金額データに基づく課金データを生成する課金データ生成ステップとを有する記録媒体。
【請求項１２】
放送局により放送される商品識別データと放送内容特定データとを含む商品販売データを受信する受信ステップと、
ユーザ操作に応じて、上記受信される上記放送内容特定データに基づいて特定される鍵データにより、上記商品識別データ及び他の受信機と識別する受信機識別データを暗号化して暗号化データを出力する暗号化ステップと、
上記放送内容特定データと上記暗号化データとを上記放送局に送信する暗号化データ送信ステップとを有する通信方法。
【請求項１３】
更に、上記商品識別データと放送内容特定データとを含む商品販売データを記録媒体に記録する記録ステップと、
上記記録された上記商品販売データを再生する再生ステップとを有し、
上記暗号化ステップでは、ユーザ操作に応じて、上記再生される上記商品販売データに含まれる放送内容特定データに基づいて特定される鍵データにより、上記商品識別データ及び上記受信機識別データを暗号化して暗号化データを出力する請求項１２記載の通信方法。
【請求項１４】
放送局により放送される商品識別データと放送内容特定データとを含む商品販売データを受信する受信手段と、
ユーザ操作に応じて、上記受信される上記放送内容特定データに基づいて特定される鍵データにより、上記商品識別データ及び他の受信機と識別する受信機識別データを暗号化して暗号化データを出力する暗号化手段と、
上記放送内容特定データと上記暗号化データとを上記放送局に送信する暗号化データ送信手段とを有する受信装置。
【請求項１５】
コンピュータにより実行可能なコンピュータプログラムであって、
放送局により放送される商品識別データと、放送内容特定データを含む商品販売データを受信する受信ステップと、
ユーザ操作に応じて、上記受信された上記放送内容特定データに基づいて特定される鍵データにより、上記商品識別データ及び他の受信機と識別する受信機識別データを暗号化して暗号化データを出力する暗号化ステップと、
上記放送内容特定データと上記暗号化データとを上記放送局に送信する暗号化データ送信ステップとを有するコンピュータプログラム。
【請求項１６】
コンピュータにより実行可能なコンピュータプログラムが記録された記録媒体であって、
上記コンピュータプログラムは、放送局により放送される商品識別データと、放送内容特定データを含む商品販売データを受信する受信ステップと、
ユーザ操作に応じて、上記受信された上記放送内容特定データに基づいて特定される鍵データにより、上記商品識別データ及び他の受信機と識別する受信機識別データを暗号化して暗号化データを出力する暗号化ステップと、
上記放送内容特定データと上記暗号化データとを上記放送局に送信する暗号化データ送信ステップとを有する記録媒体。
【発明の詳細な説明】
【０００１】
【発明の属する技術分野】
本発明は、テレビジョン放送、ラジオ放送等を介して視聴者が商品を購入することができる通信システム並びにこの通信システムに用いる放送装置及び受信装置に関する。
【０００２】
【従来の技術】
テレビジョン放送やラジオ放送で放送される番組の中に、ショッピング番組がある。ショッピング番組では、各商品の特徴、使用方法、価格等を説明し、購入方法が説明される。通常、視聴者がショッピング番組で紹介された所望の商品を購入するときには、視聴者が指定された電話番号に電話をかけ、商品販売業者に対して購入する商品を伝えると共に、クレジット番号、銀行の口座番号等を伝え決済方法を指定することによって、所望の商品を注文する。また、視聴者は、パーソナルコンピュータを用いて所定のウェブページにアクセスし、商品を指定し、また、決済方法を指定して所望の商品を注文する。
【０００３】
【発明が解決しようとする課題】
しかしながら、電話による商品注文では、視聴者が電話をかけ、商品名と決済方法を伝える必要があり、視聴者にとって面倒である。また、口頭による商品注文の場合には、伝え間違え等が発生する可能性もある。
【０００４】
また、パーソナルコンピュータを用いネットワークを介して商品注文を行う場合にも、所定のウェブページにアクセスし、商品名、決済方法等を入力する必要があり、視聴者にとって面倒である。また、クレジット番号、暗証番号等の秘匿性の高いデータが第三者に不正に取得されてしまう虞もある。
【０００５】
本発明は、以上のような課題に鑑みてなされたものであり、その目的は、ユーザが簡単な手続でショッピング番組で紹介された商品を注文することができる通信方法及び通信システムを提供することにある。
【０００６】
また、本発明の目的は、注文する際のデータを暗号化して安全にデータを商品販売業者に送信することができる通信方法及び通信システムを提供することにある。
【０００７】
更に、本発明の目的は、以上のような通信方法及び通信システムに用いる放送装置及びこの放送装置の通信方法並びに受信装置及びこの受信装置の通信方法を提供することにある。
【０００８】
【課題を解決するための手段】
本発明に係る通信方法は、放送局により放送される商品識別データと放送内容特定データとを含む商品販売データを受信機識別データが割り振られた受信機で受信する受信機受信ステップと、ユーザ操作に応じて、受信機により受信される放送内容特定データに基づいて特定される鍵データにより、受信機が、商品識別データ及び受信機識別データを暗号化して暗号化データを出力する暗号化ステップと、受信機が放送内容特定データと暗号化データとを放送局に送信する暗号化データ送信ステップと、放送局が、放送内容特定データと暗号化データとを受信すると共に、放送内容特定データに基づいて鍵データを特定し暗号化データから商品識別データ及び受信機識別データを復号する復号ステップと、放送局が、放送内容特定データと商品識別データとが対応づけられたテーブルに基づいて、放送内容特定データと復号された商品識別データとを認証する認証ステップと、認証ステップにより認証されたとき、放送局が、商品識別データと金額データとが対応づけられたテーブルに基づいて商品識別データに対応する金額データを検出する金額データ検出ステップと、放送局が、受信機識別データに対応づけた金額データに基づく課金データを生成する課金データ生成ステップとを有する。
【０００９】
また、本発明に係る通信システムは、放送局が放送した放送信号を受信機識別データが割り振られた受信機で受信する通信システムにおいて、放送される商品識別データと放送内容特定データとを含む商品販売データを受信する受信機受信手段と、ユーザ操作に応じて、受信機受信手段により受信される放送内容特定データに基づいて特定される鍵データにより、商品識別データ及び受信機識別データを暗号化して暗号化データを出力する暗号化手段と、放送内容特定データと暗号化データとを送信する暗号化データ送信手段と、暗号化データ送信手段より送信された放送内容特定データと暗号化データとを受信すると共に、放送内容特定データに基づいて鍵データを特定し暗号化データから商品識別データ及び受信機識別データを復号する復号手段と、放送内容特定データと商品識別データとが対応づけられたテーブルに基づいて、放送内容特定データと復号された商品識別データとを認証する認証手段と、認証手段により認証されたとき、商品識別データと金額データとが対応づけられたテーブルに基づいて商品識別データに対応する金額データを検出する金額データ検出手段と、受信機識別データに対応づけた金額データに基づく課金データを生成する課金データ生成手段とを備える。
【００１０】
更に、本発明に係る通信方法は、商品識別データと放送内容特定データとを含む商品販売データを放送する放送ステップと、受信機識別データが割り振られた受信機により受信される放送内容特定データに基づいて特定される鍵データにより暗号化された商品識別データ及び受信機識別データの暗号化データと放送内容特定データと受信する暗号化データ受信ステップと、受信した放送内容特定データに基づいて鍵データを特定し暗号化データから商品識別データ及び受信機識別データを復号する復号ステップと、放送内容特定データと商品識別データとが対応づけられたテーブルに基づいて、放送内容特定データと復号された商品識別データとを認証する認証ステップと、認証ステップにより認証されたとき、商品識別データと金額データとが対応づけられたテーブルに基づいて商品識別データに対応する金額データを検出する金額データ検出ステップと、受信機識別データに対応づけた金額データに基づく課金データを生成する課金データ生成ステップとを有する。
【００１１】
更に、本発明に係る放送装置は、商品識別データと放送内容特定データとを含む商品販売データを放送する放送手段と、受信機識別データが割り振られた受信機により受信される放送内容特定データに基づいて特定される鍵データにより暗号化された商品識別データ及び受信機識別データの暗号化データと放送内容特定データと受信する暗号化データ受信手段と、暗号化データ受信手段で受信した放送内容特定データに基づいて鍵データを特定し暗号化データから商品識別データ及び受信機識別データを復号する復号手段と、放送内容特定データと商品識別データとが対応づけられたテーブルに基づいて、放送内容特定データと復号された商品識別データとを認証する認証手段と、認証手段により認証されたとき、商品識別データと金額データとが対応づけられたテーブルに基づいて商品識別データに対応する金額データを検出する金額データ検出手段と、受信機識別データに対応づけた金額データに基づく課金データを生成する課金データ生成手段とを備える。
【００１２】
更に、本発明に係るコンピュータプログラムは、商品識別データと放送内容特定データとを含む商品販売データを放送する放送ステップと、受信機識別データが割り振られた受信機により受信される放送内容特定データに基づいて特定される鍵データにより暗号化された商品識別データ及び受信機識別データの暗号化データと放送内容特定データと受信し、受信した放送内容特定データに基づいて鍵データを特定し暗号化データから商品識別データ及び受信機識別データを復号する復号ステップと、放送内容特定データと商品識別データとが対応づけられたテーブルに基づいて、放送内容特定データと復号された商品識別データとを認証する認証ステップと、認証ステップにより認証されたとき、商品識別データと金額データとが対応づけられたテーブルに基づいて商品識別データに対応する金額データを検出する金額データ検出ステップと、受信機識別データに対応づけた金額データに基づく課金データを生成する課金データ生成ステップとを有する。このコンピュータプログラムはネットワークや記録媒体に記録されて拡布される。
【００１３】
更に、本発明に係る通信方法は、放送局により放送される商品識別データと放送内容特定データとを含む商品販売データを受信する受信ステップと、ユーザ操作に応じて、受信される放送内容特定データに基づいて特定される鍵データにより、商品識別データ及び他の受信機と識別する受信機識別データを暗号化して暗号化データを出力する暗号化ステップと、放送内容特定データと暗号化データとを放送局に送信する暗号化データ送信ステップとを有する。
【００１４】
更に、本発明に係る受信装置は、放送局により放送される商品識別データと放送内容特定データとを含む商品販売データを受信する受信手段と、ユーザ操作に応じて、受信される放送内容特定データに基づいて特定される鍵データにより、商品識別データ及び他の受信機と識別する受信機識別データを暗号化して暗号化データを出力する暗号化手段と、放送内容特定データと暗号化データとを放送局に送信する暗号化データ送信手段とを有する。
【００１５】
更に、本発明に係るコンピュータプログラムは、放送局により放送される商品識別データと、放送内容特定データを含む商品販売データを受信する受信ステップと、ユーザ操作に応じて、受信された放送内容特定データに基づいて特定される鍵データにより、商品識別データ及び他の受信機と識別する受信機識別データを暗号化して暗号化データを出力する暗号化ステップと、放送内容特定データと暗号化データとを放送局に送信する暗号化データ送信ステップとを有する。このコンピュータプログラムはネットワークや記録媒体に記録されて拡布される。
【００１６】
【発明の実施の形態】
以下、本発明が適用された通信システムを、図面を参照して説明する。
【００１７】
図１に示すように、本発明を適用した通信システム１は、主として放送事業者等の放送局２と、この放送局２が放送するラジオ放送を視聴する視聴者３と、商品を販売する商品販売業者４とで成り立つ。放送局２は、ＭＭＤＳ（Ｍｕｌｔｉ−ｃｈａｎｎｅｌ　Ｍｕｌｔｉ−ｐｏｉｎｔ　Ｄｉｓｔｒｉｂｕｔｉｏｎ　Ｓｅｒｖｉｃｅ）、ＬＭＤＳ（Ｌｏｃａｌ　Ｍｕｌｔｉ−ｐｏｉｎｔ　Ｄｉｓｔｒｉｂｕｔｉｏｎ　Ｓｅｒｖｉｃｅ）、ＭＶＤＳ（Ｍｉｃｒｏｗａｖｅ　Ｖｉｄｅｏ　Ｄｉｓｔｒｉｂｕｔｉｏｎ　Ｓｙｓｔｅｍｓ）等の方式に従って例えばワイヤレスケーブル放送を行う。勿論、放送局２は、通常の有線ラジオ放送を行ってもよい。
【００１８】
放送局２では、放送装置１０よりラジオ番組を放送する。具体的に、放送局２は、複数の商品を紹介し販売するショッピング番組を放送する。このショッピング番組は、例えば、該商品販売業者４が取り扱う一又は複数の商品を紹介する番組であって、各商品の特徴、使用方法、支払方法等を説明するものである。このショッピング番組は、商品販売業者４又は商品販売業者４の依頼に基づいて放送局２が制作した番組である。放送局２は、視聴者３に対して、受信料を請求する他、視聴者３がショッピング番組の商品を購入した際購入した商品の代金を請求する。
【００１９】
視聴者３は、有線ラジオの受信機３０を所有している。受信機３０は、例えば視聴者３宅に設置される。この受信機３０は、他の視聴者３が所有する受信機３０と識別する受信機ＩＤを保持している。この受信機ＩＤは、放送局２のデータベースに登録されており、放送局２によって管理されている。
【００２０】
また、視聴者３は、パーソナルコンピュータ等からなる視聴者端末装置５０を所有している。視聴者端末装置５０は、受信機３０と例えば近距離通信が可能となっており、視聴者３が受信機３０で再生中のショッピング番組で紹介された所望の商品を購入する購入操作を行ったとき、暗号化された購入を希望する商品の識別データとなる商品ＩＤと受信機ＩＤとが有線又は無線で入力される。そして、視聴者端末装置５０は、インターネット等のネットワークを介して放送局２の放送装置１０に商品の注文を行う。
【００２１】
商品販売業者４は、一又は複数の商品を製造及び／又は販売しており、その商品の販売に関し責任を負う業者である。商品販売業者４は、放送局２で放送するショッピング番組を制作し又は放送局２に対してショッピング番組の制作を依頼する。この商品販売業者４は、放送局２と通信を行うための通常のコンピュータ等からなる商品販売業者端末装置６０を所有する。商品販売業者端末装置６０は、放送装置１０から商品ＩＤと受信機ＩＤを受信し、注文のあった商品を特定し、注文のあった商品を視聴者３に対して発送する。なお、この商品販売業者４の機能は、放送局２が行うようにしてもよい。
【００２２】
以上のような通信システム１では、受信機３０で受信し再生したショッピング番組で紹介された所望の商品を購入するとき、視聴者３が購入操作をすると、受信機３０が商品ＩＤと受信機ＩＤとを暗号化して放送装置１０に対して商品の注文を行う。すなわち、この通信システム１では、従来のように電話を使用して口頭で注文を行う必要が無いことから、商品注文を容易に行うことができる。また、受信機３０は、商品ＩＤや受信機ＩＤを暗号化して放送装置１０に送信することによって、商品の注文を行い、クレジットカードのカード番号や暗証番号等の秘匿性の高いデータをネットワークを介して送信しないことから、不正に第三者にこれらのデータが取得されることを防止することができると共に、これらのデータを暗号化して放送装置１０に送信することから、商品注文に関するデータが不正に第三者に取得されることも防止することができる。
【００２３】
次に、放送局２が管理する放送装置１０について、図２を参照して説明する。この放送装置１０は、放送するショッピング番組等の番組データが蓄積される蓄積部１１と、放送する番組をディジタル多重化処理するディジタル多重化部１２と、放送する番組を暗号化する暗号化部１３と、暗号化された番組の送信処理を行う送信処理部１４と、送信処理された番組を送信するアンテナ１５と、全体の動作を制御する制御プログラム等が保存されたプログラム用記憶部１６と、プログラム用記憶部１６等に保存されたプログラムがロードされる一時記憶部１７と、本システム１の利用契約をした商品販売業者４が管理する商品販売業者端末装置６０とデータ通信をするための通信部１８と、ショッピング番組で紹介した商品とこの商品の付加データとなる商品ＩＤとを関連付けるリンクテーブルを保存するリンクテーブル記憶部１９と、視聴者３を管理する視聴者管理データ記憶部２０と、視聴者３に対する課金データを管理する課金データ記憶部２１と、商品販売業者４に支払う支払データを管理する支払データ記憶部２２と、全体の動作を制御する制御部２３とを備える。
【００２４】
蓄積部１１は、大容量ハードディスク等からなり、放送する番組等の番組データや番組に使用される楽曲データ、画像データ、動画データ等のコンテンツデータが保存される。また、蓄積部１１は、一又は複数の番組データ、楽曲データ、画像データ、動画データ等が保存されたディスクカートリッジ、テープカートリッジ等のリムーバル記録媒体が複数収納され、放送事業者の操作に従って所望のコンテンツデータが保存されているリムーバル記録媒体を抽出し選択されたコンテンツデータを再生する記録媒体交換装置である。この蓄積部１１に保存される番組データは、具体的に、ショッピング番組、音楽番組、クイズ番組、ニュース番組等である。ショッピング番組では、商品販売業者４の取り扱う一又は複数の商品の紹介を行う。
【００２５】
なお、蓄積部１１に蓄積されている楽曲データ、画像データ、動画データ等のコンテンツデータは、音声データであれば、ＭＰＥＧ−２ＡＡＣ（Ｍｏｔｉｏｎ　Ｐｉｃｔｕｒｅ　Ｅｘｐｅｒｔ　Ｇｒｏｕｐ　２　Ａｄｖａｎｃｅｄ　Ａｕｄｉｏ　Ｃｏｄｉｎｇ：商標）等の方式で、画像データであれば、ＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ）等の方式で、動画データであれば、ＭＰＥＧ２等の方式で符号化されていてもよい。蓄積部１１に蓄積されているコンテンツデータが符号化されていないときには、ディジタル多重化部１２の前段に設けた符号化部で符号化するようにすればよい。
【００２６】
ディジタル多重化部１２は、複数のチャンネルの番組データ等のコンテンツデータをパケット化し、パケット単位で複数のコンテンツデータを時分割多重化等の方式でディジタル多重化する。そして、ディジタル多重化部１２は、多重化したコンテンツデータを制御部２３を介して暗号化部１３に出力する。暗号化部１３は、暗号鍵メモリ１３ａに入力されたコンテンツデータを暗号化する暗号鍵データを保存している。暗号化部１３は、コンテンツデータを放送するとき、入力されたコンテンツデータを、暗号鍵メモリ１３ａに保存されている暗号鍵データを用いて暗号化し、暗号化したコンテンツデータを送信処理部１４に出力する。
【００２７】
送信処理部１４は、暗号化部１３より入力された暗号化コンテンツデータを符号化し、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）等の方式で変調し、アンテナ１５に出力する。アンテナ１５は、送信処理部１４より入力された送信処理が施されたコンテンツデータを発信する。
【００２８】
プログラム用記憶部１６は、ハードディスク、ＲＯＭ（Ｒｅａｄ　Ｏｎｌｙ　Ｍｅｍｏｒｙ）、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）、フラッシュメモリ等で構成されている。プログラム用記憶部１６には、各種資源を管理するオペレーティングシステム、商品販売業者端末装置６０とデータ通信を行うための通信プログラム等が格納されている。また、このプログラム用記憶部１６は、書換可能な記憶媒体を用いることで、プログラムを光ディスク、光磁気ディスク、磁気ディスク等のリムーバル記録媒体から又はネットワークを介してインストールすることができ、また、格納されているプログラムを更新することができる。一時記憶部１７は、ＲＡＭ（Ｒａｎｄｏｍ　Ａｃｃｅｓｓ　Ｍｅｍｏｒｙ）等で構成されている。この一時記憶部１７には、プログラム用記憶部１６に格納されている各種プログラムがロードされる。
【００２９】
通信部１８は、放送局２と本システム１の利用契約をした受信機３０、視聴者端末装置５０や商品販売業者４が管理する商品販売業者端末装置６０とネットワーク５を介してデータ通信をする。具体的に、通信部１８は、商品販売業者端末装置６０に対して視聴者３から注文のあった商品の商品ＩＤとその視聴者３の所有する受信機３０の受信機ＩＤを送信する。また、通信部１８は、視聴者３が本サービスを利用するために視聴者登録をする際に、その視聴者３が所有する受信機３０の受信機ＩＤ、視聴者名、決済のためのクレジットカードのカード番号等のデータを受信する。
【００３０】
ここで、ネットワーク５は、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）回線、ＣＡＴＶ（Ｃａｂｌｅ　Ｔｅｌｅｖｉｓｉｏｎ）回線、光ケーブル回線、ｘＤＳＬ（ｘ　Ｄｉｇｉｔａｌ　Ｓｕｂｓｃｒｉｂｅｒ　Ｌｉｎｅ　）、ディジタル衛星放送用の衛星回線等のネットワーク２を介して接続されおり、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）等の伝送プロトコルに従ってデータのやり取りを行う。
【００３１】
リンクテーブル記憶部１９は、蓄積部１１と同じ又は別の大容量ハードディスク等からなり、ショッピング番組で紹介する商品と紹介する商品を識別する付加データとなる商品ＩＤとを時間的に関連付けるリンクテーブルが構築されている。なお、付加データは、ショッピング番組で紹介する一又は複数の商品のそれぞれに関連付けられるデータであり、少なくとも関連付けられた商品を識別するための商品ＩＤを含む。また、紹介する商品が新譜のパッケージメディア等であるとき、付加データは、記録媒体に記録されたオーディオデータ、映画データ、ゲームソフトに関連する歌詞等のテキストデータ、アーティストの画像データ、アーティストのコンサート映像等の動画データ等が含まれるようにしてもよい。
【００３２】
具体的に、リンクテーブル記憶部１９には、下記表１に示すようなリンクテーブルが構築されている。
【００３３】
【表１】
2004126744.tif 000003
【００３４】
表１に示すように、このリンクテーブルは、フィールドとして、ショッピング番組で紹介する商品の商品ナンバと、ショッピング番組で紹介する商品の商品名と、ショッピング番組で紹介する他の商品と識別するための付加データとなる商品ＩＤと、商品の価格と、ショッピング番組中の商品の紹介時間データを示す紹介時間データと、紹介時間データに対応づけられた暗号鍵データとが設けられている。
【００３５】
暗号鍵データは、受信機３０に送信され、受信機３０が受信機ＩＤと商品ＩＤを放送装置１０に送信するときの暗号鍵データとして用いられる。紹介時間データは、ショッピング番組中に紹介している商品を時間で特定するための放送内容特定データとなり、商品ＩＤは、ショッピング番組で紹介する商品の付加データとなる。
【００３６】
紹介時間データは、商品を紹介する時間帯を、グリニッジ標準時を基準とする各国又は各地域の標準時間とするのではなく、番組開始時間からの経過時間としている。紹介時間データは、番組開始時間からの経過時間とすることで、ショッピング番組を記録装置、受信機３０等で記録するようにし、実際の放送時間とずれた時間に視聴者３がショッピング番組を視聴したときにも、ショッピング番組中紹介された商品や暗号鍵データを特定することができるようにしている。なお、経過時間データは、表には示していないが、商品の紹介順序をより正確に特定するため、秒単位まで管理するようにしてもよい。
【００３７】
例えば、商品ナンバ「１」は、商品名が「ベッドＡ」であり、商品ＩＤが「０００００１」であり、価格が５０００円であり、紹介時間データがショッピング番組の開始から１０分までを示す「０〜１０」を示しており、この紹介時間データに対応して暗号鍵データが「ＡＢＣＤＥＦ」となっている。すなわち、商品ナンバ「１」の商品は、ショッピング番組の開始から１０分間紹介されることを示している。また、商品ナンバ「３」は、商品名が「ベッドＢ」であり、商品ＩＤが「０００００３」であり、価格が２０００円であり、紹介時間データがショッピング番組の開始５０分から７０分までを示す「５０〜７０」を示しており、この紹介時間データに対応して暗号鍵データが「ＡＱＷＳＳＳ」となっている。すなわち、商品ナンバ「３」の商品は、ショッピング番組の開始５０分から７０分までの１０分間紹介されることを示している。
【００３８】
以上のように、表１のリンクテーブルでは、ショッピング番組で紹介する商品がショッピング番組中どの時間帯に紹介されているか特定でき、更に、その時間帯に応じた暗号鍵データを特定することができる。また、商品ＩＤと紹介時間データは、ショッピング番組の放送時、ショッピング番組と共に受信機３０に送信される。また、紹介時間データと暗号鍵データは、ショッピング番組と共に又は別の時間帯に受信機３０に送信される。
【００３９】
なお、リンクテーブルの内、商品ＩＤと紹介時間データは、ショッピング番組に多重化されて各受信機３０に放送される。また、紹介時間データとこの紹介時間データに対応づけられている暗号鍵データは、ショッピング番組を放送するとき、又は、ショッピング番組の放送時間と別の時間帯に、受信機３０に送信される。
【００４０】
視聴者管理データ記憶部２０は、蓄積部１１やリンクテーブル記憶部１９と同じ又は別の大容量ハードディスク等からなり、視聴者３を管理するデータを管理する視聴者管理テーブルが構築されている。具体的に、この視聴者管理テーブルは、下記表２に示すように視聴者管理データ記憶部２０に構築されている。
【００４１】
【表２】
2004126744.tif 000004
【００４２】
表２に示すように、この視聴者管理テーブルは、フィールドとして、放送局２と受信契約を締結した契約者名（視聴者名）と、その視聴者３が所有する受信機３０の識別データとなる受信機ＩＤと、決済をするための視聴者３のクレジットカード番号と、このクレジットカードの有効期限とが設けられている。これらの項目は、視聴者３が放送局２と受信契約を締結したとき、この視聴者管理テーブルに受信機ＩＤとともに登録される。例えば、視聴者「Ｔｏｍ」は、所有する受信機３０の受信機ＩＤが「Ｔ００００１」であり、クレジットカード番号が「１２３４５６」であり、そのクレジットカードの有効期限が２００３年７月１４日となっている。
【００４３】
以上のように、表２の視聴者管理テーブルでは、契約した視聴者３毎に決済手段を管理することができると共に、契約者である視聴者３の所有する受信機３０の受信機ＩＤを管理することができる。なお、この視聴者管理テーブルには、表には示していないが、更に、視聴者３の住所、電話番号、電子メールアドレス等を記録するようにしてもよい。
【００４４】
課金データ記憶部２１は、蓄積部１１、リンクテーブル記憶部１９及び視聴者３管理データ記憶部２０と同じ又は別の大容量ハードディスク等からなり、視聴者３に対する課金データを管理する課金データ管理テーブルが構築されている。具体的に、この課金データ管理テーブルは、下記表３に示すように課金データ記憶部２１に構築されている。
【００４５】
【表３】
2004126744.tif 000005
【００４６】
表３に示すように、この課金データ管理テーブルは、フィールドとして、放送局２と受信契約を締結した契約者名（視聴者名）と、放送局２の放送を受信するための受信料と、ショッピング番組で紹介された商品を視聴者３が購入した際の商品購入金額と、受信料と商品購入金額の合計金額とが設けられている。受信料は、例えば１チャンネルに付き２０００円であり、視聴者３が複数チャンネルを契約しているとき、２０００円に契約チャンネル数を乗じた額となる。また、商品購入金額は、視聴者３が複数の商品を購入しているとき、購入した商品の合計金額となる。例えば、視聴者「Ｔｏｍ」は、１チャンネルを契約しており、受信料が２０００円であり、５０００円分ショッピング番組で紹介された商品を購入しており、合計金額が７０００円となっている。なお、商品購入金額は、表１に示したリンクテーブルの商品価格を参照して記録される。なお、受信料は、上述の従量制でなく、チャンネル数に関係なく定額制とし、例えば一律２０００円としてもよい。
【００４７】
以上のように、表３の課金データ管理テーブルでは、視聴者３毎の受信料と商品購入金額とを合計した視聴者３に対する課金データを生成し管理することができる。したがって、放送装置１０は、表２の視聴者管理テーブルのクレジットカード番号を参照して合計金額に記述された金額を視聴者３に対する課金データとし、この生成した課金データを、決済のため図示しない信販会社のサーバ装置、銀行のサーバ等の決済サーバ装置に送信することができる。
【００４８】
支払データ記憶部２２は、蓄積部１１、リンクテーブル記憶部１９、視聴者管理データ記憶部２０及び課金データ記憶部２１と同じ又は別の大容量ハードディスク等からなり、商品販売業者４に支払う支払データを管理する支払データ管理テーブルが構築されている。この通信システム１では、上述したように、視聴者３がショッピング番組で紹介された商品を購入したとき、放送局２が商品の購入代金を徴収し、その商品の代金を商品販売業者４に支払うようにしている。そこで、放送装置１０は、この支払データ管理テーブルを用いて商品販売業者４に対する支払金額を管理するようにしている。具体的に、支払データ管理テーブルは、下記表４に示すように支払データ記憶部２２に構築されている。
【００４９】
【表４】
2004126744.tif 000006
【００５０】
表４に示すように、この支払データ管理テーブルは、商品販売業者４毎に設けられている。表４は、商品販売業者４が「Ａ社」の例であり、各社のテーブルには、フィールドとして、ショッピング番組で紹介した商品を購入した視聴者名と、その視聴者３が購入した商品名と、その商品を識別するための商品ＩＤと、商品毎の支払金額と、商品販売業者４に対する支払合計金額とが設けられている。例えば、商品販売業者４である「Ａ社」の視聴者３によって購入された商品は、視聴者「Ｔｏｍ」が購入した商品名「ベッドＡ」、視聴者「Ｊｏｈｎ」が購入した商品名「椅子」、視聴者「Ａｎｎ」が購入した商品名「ベッドＢ」、視聴者「Ｂｉｌｌ」が購入した商品名「ソファー」及び視聴者「Ｂｅｎ」が購入した商品名「食器棚」であり、合計金額２３０００円となっている。
【００５１】
支払データ記憶部２２は、商品販売業者４毎に表４に示すような支払管理テーブルを作成し、それぞれの商品販売業者４に支払う支払データを生成する。したがって、放送装置１０は、この生成した商品販売業者４に対する支払データを、決済のため図示しない信販会社のサーバ装置、銀行のサーバ装置等の決済サーバ装置に送信することができる。
【００５２】
制御部２３は、マイクロコンピュータ、ＣＰＵ（Ｃｅｎｔｒａｌ　Ｐｒｏｃｅｓｓｉｎｇ　Ｕｎｉｔ）等で構成されている。制御部２３は、プログラム用記憶部１６のプログラムを一時記憶部１７にロードし、読み出したプログラムに基づいて装置全体を制御する。具体的に、制御部２３は、通信部１８で受信した受信機３０より視聴者登録のため送信された受信機ＩＤや視聴者名を上記表２に示した視聴者管理テーブルに登録する。
【００５３】
また、制御部２３は、例えば、通信部１８で視聴者端末装置５０を介して受信機３０から送信された商品紹介時間データ、暗号化された受信機ＩＤ及び商品ＩＤを受信したとき、表１のリンクテーブルにアクセスし、受信した商品紹介時間データに基づいて暗号鍵データを特定し、この特定した暗号鍵データによって受信機ＩＤ及び商品ＩＤからなる暗号化データの暗号を復号する。そして、制御部２３は、表１のリンクテーブルにアクセスし、受信した紹介時間データによって特定される商品ＩＤと暗号を復号して得られる商品ＩＤとが一致しているかを判断してショッピング番組で紹介した商品であるかの認証を行い、また、表２の視聴者管理テーブルにアクセスし、視聴者３からの注文であるかの認証処理を行う。放送装置１０は、受信機ＩＤの認証を行うことで、視聴者３になりすまして商品を購入しようとする者等不正購入を防止し、また、ショッピング番組で紹介されていない商品の注文を防止する。
【００５４】
更に、放送装置１０は、商品の注文をした視聴者３とその視聴者３が注文した商品を商品販売業者４に知らせる必要がある。そこで、制御部２３は、受信機ＩＤを別のユニークＩＤに変換し、この変換した商品購入注文をした視聴者３の所有する受信機３０を特定するユニークＩＤと商品ＩＤと、その他注文をした視聴者の住所、電話番号等の商品発送に必要となるデータを通信部１８より商品販売業者端末装置６０に送信する。なお、受信機ＩＤをそのまま商品販売業者端末装置６０に送信しないのは、受信機ＩＤを放送局２の外部に漏らさないようにするためである。
【００５５】
以上のように構成された放送装置１０は、一日の番組プログラムに応じてショッピング番組等の放送を行う。すなわち、放送装置１０は、例えば一日の番組プログラムに従って、蓄積部１１より番組データ等の所定のコンテンツデータを読み出し、次いで、蓄積部１１より読み出したコンテンツデータをディジタル多重化部１２でディジタル多重化し、次いで、ディジタル多重化されたコンテンツデータを暗号化部１３で暗号化し、更に、送信処理部１４で暗号化されたコンテンツデータを符号化し更に変調してアンテナ１５より発信する。
【００５６】
ショッピング番組を放送するとき、放送装置１０は、紹介している商品の商品ＩＤ等の付加データと紹介時間データを多重化して放送する。また、放送装置１０は、ショッピング番組を放送するとき、又は、ショッピング番組の放送時間と別の時間帯に、アンテナ１５又は通信部１８より紹介時間データとこの紹介時間データに対応づけられている暗号鍵データを受信機３０に送信する。
【００５７】
放送装置１０は、商品の注文のため、視聴者端末装置５０を介して受信機３０から送信された暗号化されている受信機ＩＤと商品ＩＤとを通信部１８で受信したとき、表１のリンクテーブルにアクセスし、受信した商品紹介時間データに基づいて暗号鍵データを特定し、この特定した暗号鍵データによって受信機ＩＤ及び商品ＩＤの暗号を復号する。そして、放送装置１０は、表３の課金データ管理テーブルの商品購入金額を更新するとともに、表４の支払データ管理テーブルに商品を購入した視聴者３に関するデータを追加し、商品販売業者４への支払合計を更新する。
【００５８】
次に、放送局２の放送装置１０から放送された放送信号を受信する受信機３０について説明すると、この受信機３０は、放送局２と契約した視聴者３に割り与えられる機器であり、例えば視聴者３宅に設置される。この受信機３０は、図３に示すように、放送装置１０より放送された放送信号を受信するアンテナ３１と、アンテナ３１で受信した放送信号に対して受信処理を施す受信処理部３２と、受信処理が施された放送信号の暗号を復号する暗号復号部３３と、放送信号の暗号を復号する際に用いる暗号復号鍵データを保存する暗号復号鍵用記憶部３４と、暗号が復号された放送信号に対して復号処理を施す復号処理部３５と、音声データをディジタル信号からアナログ信号に変換するディジタル／アナログ変換器（以下、単に、Ｄ／Ａコンバータという。）３６と、アナログ信号に変換された音声データを再生音に変換し放音するスピーカ３７と、ショッピング番組の受信時の付加データ等番組に関連するデータ等を表示する表示部３８と、操作信号を入力する操作部３９と、他の受信機３０と識別するための受信機ＩＤが保存される受信機ＩＤ用記憶部４０と、商品注文のため放送装置１０に受信機ＩＤと商品ＩＤとを送信する際受信機ＩＤと商品ＩＤを暗号化する暗号鍵が保存される暗号鍵記憶部４１と、全体の動作を制御する制御プログラム等が保存されたプログラム用記憶部４２と、放送信号等のデータを保存するデータ用記憶部４３と、プログラム用記憶部４２等に保存されたプログラムがロードされる一時記憶部４４と、放送装置１０とネットワーク５を介してデータ通信をする通信部４５と、視聴者端末装置５０との間で近距離通信をするための近距離通信部４６と、全体の動作を制御する制御部４７とを備える。
【００５９】
アンテナ３１は、放送局２の放送装置１０より発信された放送信号を検波し、受信した放送信号を受信処理部３２に出力する。受信処理部３２は、放送装置１０の送信処理部１４でＯＦＤＭ等の方式で変調されている放送信号を復調し、所定の復号処理を行った後、暗号復号部３３に出力する。
【００６０】
暗号復号部３３は、受信処理部３２より入力された放送信号の暗号を復号する。このとき、暗号復号部３３は、暗号復号鍵用記憶部３４に格納されている暗号復号鍵データを読み出し、この読み出した暗号復号鍵データを用いて受信処理部３２より入力された放送信号の暗号を復号する。
【００６１】
ここで、暗号復号鍵用記憶部３４に保存されている暗号復号鍵データは、視聴者３が放送局２と受信契約を締結した視聴者３が、自分が所有する受信機３０の受信機ＩＤを放送局２に登録する際ネットワーク５を介して取得するものであり、放送装置１０が放送信号を暗号化部１３で暗号化する際に用いた暗号鍵データに対応する鍵データである。暗号復号部３３は、受信処理部３２より入力された放送信号の暗号を暗号復号鍵データを用いて復号すると、その復号した放送信号を復号処理部３５に出力する。なお、暗号復号鍵用記憶部３４は、ハードディスク、ＲＯＭ、ＥＥＰＲＯＭ、フラッシュメモリ等で構成されている。
【００６２】
復号処理部３５は、暗号復号部３３より入力された暗号が復号された放送信号、すなわちディジタル多重化処理が施されている放送信号を復号する。そして、復号処理部３５は、視聴者３が選択しているチャンネルの放送信号を抽出し、この抽出した所定チャンネルの放送信号を制御部４７を介してＤ／Ａコンバータ３６に出力する。また、復号処理部３５は、入力された放送信号から選択されているチャンネルの放送信号に関連する付加データ等の表示データを抽出し、抽出した表示データを制御部４７に出力する。更に、復号処理部３５は、紹介時間データとこの紹介時間データに対応づけられている暗号鍵データを抽出し、暗号鍵記憶部４１に保存する。
【００６３】
Ｄ／Ａコンバータ３６は、入力された所定チャンネルの放送信号をディジタル信号からアナログ信号の変換し、アナログ信号の放送信号をスピーカ３７に出力する。スピーカ３７は、入力されたアナログ信号の放送信号を再生音に変換し放音する。なお、放送信号の出力手段は、スピーカ３７の他、ヘッドフォンやイヤホンであってもよい。
【００６４】
表示部３８は、液晶表示パネル、陰極線管等であり、再生する放送信号に関連する表示データ等を表示する。例えば、表示部３８は、現在選択しているチャンネル番号を表示する他、再生している放送信号に関連するデータとして、付加データの一部を構成する放送中の楽曲データのタイトル、アーティスト名等を例えば文字データで表示する。
【００６５】
また、操作部３９は、複数の押し釦、ダイヤル等で構成された選局釦、音量調整釦、表示内容切換釦、タイマ設定釦、文字入力釦等を有している。操作部３９は、例えば視聴者３が選局釦を操作してチャンネルの選択がされたとき、チャンネル選択データを制御部４７に出力し、また、音量調整釦が操作されたとき、その音量調整データを制御部４７に出力する。また、操作部３９では、放送局２に視聴者登録をするため、文字入力釦を用いて視聴者名等の文字データを入力することができる。
【００６６】
更に、操作部３９は、ショッピング番組を視聴しているときに所望の商品の購入操作をする商品購入釦３９ａを有する。商品購入釦３９ａは、ユーザが押圧操作することによって商品を放送局２に対して注文することができる。具体的に、ショッピング番組中のユーザが購入希望する商品の紹介時間内に、商品購入釦３９ａが押圧操作されると、受信機３０は、商品購入釦３９ａが押されたとき紹介している商品の商品ＩＤと受信機ＩＤ用記憶部４０に保存されている受信機ＩＤとを暗号鍵記憶部４１に保存されている暗号鍵を用いて暗号化し暗号化データを生成し、この生成した暗号化データを暗号鍵記憶部４１に保存されている紹介時間データと共に放送局２にネットワーク５を介して通信部４５より送信する。
【００６７】
なお、表示部３８は、操作部３９と共用するため、タブレット等で構成してもよい。また、操作部３９は、利便性の向上のため遠隔操作装置であってもよい。
【００６８】
受信機ＩＤ用記憶部４０は、ハードディスク、ＲＯＭ、ＥＥＰＲＯＭ、フラッシュメモリ等で構成されている。この受信機ＩＤ用記憶部４０には、他の視聴者３が所有する受信機３０と区別するための識別データとなる受信機ＩＤが格納される。この受信機ＩＤは、受信機３０の工場出荷時、放送局２に対して視聴者３が登録を行ったとき等に受信機ＩＤ用記憶部４０に格納される。
【００６９】
暗号鍵記憶部４１は、ハードディスク、ＲＯＭ、ＥＥＰＲＯＭ、フラッシュメモリ等で構成されており、ショッピング番組を放送するとき、又は、ショッピング番組の放送時間と別の時間帯に、放送装置１０から送信されアンテナ３１又は通信部４５で受信した紹介時間データとこの紹介時間データに対応づけられている暗号鍵データを保存する。例えば、暗号鍵データは、下記表５に示すように暗号鍵記憶部４１に保存される。
【００７０】
【表５】
2004126744.tif 000007
【００７１】
表５に示すように、暗号鍵データは、番組開始時間からの経過時間で定義されている紹介時間データに関連付けられている。例えば、紹介時間データが０分〜１０分の間は、暗号鍵データ「ＡＢＣＤＥＦ」が関連付けられており、また、２０分〜５０分の間は、暗号鍵データ「ＱＷＥＲＴＹ」が関連付けられている。すなわち、上記表１のリンクテーブルが示すショッピング番組と上記表５のショッピング番組とが同じであるとき、表５の紹介時間データと暗号鍵データは、表１の紹介時間データと暗号鍵データと同じとなる。
【００７２】
受信機３０では、ショッピング番組を放送時間に視聴し所望の商品を注文するとき又は保存してあるショッピング番組を視聴し所望の商品を注文するとき、再生するショッピング番組に含まれている紹介時間データに基づいて暗号鍵記憶部４１に紹介時間データに関連付けられて保存されている暗号鍵データを特定し、特定した暗号鍵データを用いて、注文する商品の商品ＩＤと受信機ＩＤとを暗号化する。
【００７３】
プログラム用記憶部４２は、ハードディスク、ＲＯＭ、ＥＥＰＲＯＭ、フラッシュメモリ等で構成されている。プログラム用記憶部４２には、各種資源を管理するオペレーティングシステム、放送装置１０や視聴者端末装置５０とデータ通信を行うための通信プログラム等が格納されている。また、このプログラム用記憶部４２は、書換可能な記憶媒体を用いることで、アンテナ３１、通信部４５、更に他のリムーバル記録媒体から入力されたアップデート用のプログラムに、現在保存されているプログラムを書き換えることができる。一時記憶部４４は、ＲＡＭ等で構成されている。この一時記憶部４４には、プログラム用記憶部４２に格納されている各種プログラムがロードされる。
【００７４】
また、データ用記憶部４３は、書換可能な記録媒体であって、ハードディスク、ＥＥＰＲＯＭ等の内蔵型の記録媒体の他、フラッシュメモリを記憶素子に用いるＩＣカード、テープカートリッジ、ディスクカートリッジ等のリムーバル記録媒体で構成されている。このデータ用記憶部４３は、例えば放送中の番組を記録することができる。ショッピング番組を記録するとき、データ用記憶部４３には、ショッピング番組の他、このショッピング番組に含まれる商品ＩＤと紹介時間データを、記録するショッピング番組に関連付けて保存する。したがって、視聴者３が所定の放送時間に視聴者３がショッピング番組を視聴しないときであっても、ショッピング番組に含まれる紹介時間データと、暗号鍵記憶部４１に紹介時間データとを照合することができ、紹介時間データに関連付けられて保存されている暗号鍵データを特定し、商品ＩＤと受信機ＩＤとを特定した暗号鍵データで暗号化して、商品の注文を行うため、視聴者端末装置５０を介して、暗号化した商品ＩＤ及び受信機ＩＤと紹介時間データとを放送装置１０に送信することができる。
【００７５】
なお、このデータ用記憶部４３には、再生中のチャンネルの番組の他、再生していないチャンネルの番組も記録することができる。この場合、復号処理部３５は、現在再生するチャンネルの放送信号を抽出し、Ｄ／Ａコンバータ３６に出力するとともに、視聴者３によって選択されたチャンネルの所定時間の番組を抽出し制御部４７に出力する。制御部４７に入力された番組データは、制御部４７によってデータ用記憶部４３に記録される。これによって、視聴者３は、ある番組を聞きながら、同じ時間に放送されている他のチャンネルの番組をデータ用記憶部４３に記録することができ、空き時間を利用してデータ用記憶部４３に記録した番組を視聴することができる。
【００７６】
また、データ用記憶部４３に番組データを保存するときには、ＭＰＥＧ−２ＡＡＣ、ＪＰＥＧ等の方式で符号化し、データサイズを小さくして保存するようにしてもよい。
【００７７】
通信部４５は、本サービスを利用するため放送局２に対して視聴者登録をする際に、受信機ＩＤ用記憶部より受信機ＩＤを読み出し、この読み出した受信機ＩＤを操作部３９より入力された視聴者名等とともに放送装置１０にネットワーク５を介して送信する。
【００７８】
また、近距離通信部４６は、ブルートゥース（Ｂｌｕｅｔｏｏｔｈ）、赤外線を用いるＩｒＤＡ（Ｉｎｆｒａｒｅｄ　Ｄａｔａ　Ａｓｓｏｃｉａｔｉｏｎ）、ＩＥＥＥ（Ｉｎｓｔｉｔｕｔｅ　Ｏｆ　Ｅｌｅｃｔｒｉｃａｌａｎｄ　Ｅｌｅｃｔｒｏｎｉｃ　Ｅｎｇｉｎｅｅｒｓ）８０２．１１ａ／ｂ等の近距離通信（ＷＰＡＮ：Ｗｉｒｅｌｅｓｓ　Ｐｅｒｓｏｎａｌ　Ａｒｅａ　Ｎｅｔｗｏｒｋ）の無線インタフェースを有している。近距離通信部４６は、暗号化した商品ＩＤ及び受信機ＩＤと紹介時間データとを視聴者端末装置５０に送信する。なお、インタフェースとしては、ＵＳＢ（Ｕｎｉｖｅｒｓａｌ　ｓｅｒｉａｌ　ｂｕｓ）、ＩＥＥＥ１３９４等の有線の通信インタフェースを用いるようにしてもよい。
【００７９】
制御部４７は、ＣＰＵ等で構成されている。制御部４７は、プログラム用記憶部４２のプログラムを一時記憶部４４にロードし、読み出したプログラムに基づいて装置全体を制御する。具体的に、制御部４７は、操作部３９より入力されたチャンネル選択データに基づいて、復号処理部３５を制御し、ユーザが選択したチャンネルの放送信号を抽出し、再生のとき、抽出した放送信号を、Ｄ／Ａコンバータ３６に出力し、データ用記憶部４３に記録するとき、抽出した放送信号を、データ用記憶部４３に記録する。
【００８０】
また、制御部４７は、放送局２に視聴者登録をするとき、操作部３９より入力された視聴者名等とともに、受信機ＩＤ用記憶部４０より読み出した受信機ＩＤを通信部４５より放送装置１０に送信する。
【００８１】
また、制御部４７は、ショッピング番組の再生時において、操作部３９を構成する商品購入釦３９ａが操作されたとき、これを検出し、操作されたときのショッピング番組に含まれる紹介時間データを抽出する。そして、制御部４７は、抽出した紹介時間データを、暗号鍵記憶部４１に保存されている紹介時間データと照合し、照合された紹介時間データに関連付けられている暗号鍵データを特定する。制御部４７は、商品購入釦３９ａが押されたときの商品ＩＤを抽出すると共に、受信機ＩＤ用記憶部４０に保存されている受信機ＩＤを読み出し、抽出した商品ＩＤと読み出した受信機ＩＤとを特定した暗号鍵データで暗号化する。そして、制御部４７は、商品購入釦３９ａが操作されたときショッピング番組より抽出した商品ＩＤと暗号化データとを、近距離通信部４９より視聴者端末装置５０に送信し、この視聴者端末装置５０を介して放送装置１０に送信する。かくして、視聴者３は、ショッピング番組で紹介された所望の商品の注文を行うことができる。
【００８２】
以上のように構成された受信機３０は、視聴者３が所望のチャンネルを操作部３９を用いて選択すると選局データが制御部４７に入力される。受信機３０は、アンテナ３１で放送装置１０より発信された放送信号を受信すると、受信処理部３２で復調、復号処理を施し、暗号復号部３３で暗号復号鍵用記憶部３４に保存されている暗号復号鍵データを用いて暗号を復号し、復号処理部３５で選択されたチャンネルの放送信号を抽出し、抽出した放送信号をＤ／Ａコンバータ３６でディジタル信号をアナログ信号に変換し、スピーカ３７より再生音に変換して出力する。また、復号処理部３５は、選択されたチャンネルの放送信号より表示データを抽出し、表示部３８に表示データを表示する。例えば、ショッピング番組を視聴しているとき、受信機３０は、ショッピング番組の音声データをスピーカ３７より再生音を放音し、表示部３８に、付加データの一部を構成する商品画像、値段等を表示する。これにより、視聴者３は、選択したチャンネルの放送信号を視聴することができる。また、再生していないチャンネルの番組データも記録するとき、受信機３０は、視聴者３によって予約されたチャンネルの番組データを復号処理部３５で抽出し、抽出した番組をデータ用記憶部４３に保存する。
【００８３】
ショッピング番組の再生中、受信機３０は、視聴者３によって商品購入釦３９ａが操作が操作されると、商品購入釦３９ａの操作を制御部４７で検出し、商品購入釦３９ａが操作されたときの紹介時間データとそのとき紹介されている商品の商品ＩＤを抽出する。そして、受信機３０は、制御部４７で、ショッピング番組より抽出した紹介時間データと暗号鍵記憶部４１に保存されている紹介時間データと照合し、照合された紹介時間データに関連付けられている暗号鍵データを特定し、受信機ＩＤ用記憶部４０に保存されている受信機ＩＤと抽出した商品ＩＤとを特定した暗号鍵データで暗号化し暗号化データを生成し、抽出した紹介時間データと生成した暗号鍵データとを近距離通信部４９より視聴者端末装置５０に送信し、この視聴者端末装置５０を介して放送装置１０に送信する。
【００８４】
また、視聴者３は、本サービス１の視聴者登録を放送局２に対して行うとき、操作部３９を介して入力された文字データ等からなる視聴者名データ等と受信機ＩＤ用記憶部４０より読み出した受信機ＩＤを通信部４５よりネットワーク５を介して放送装置１０に送信する。
【００８５】
次に、視聴者３が所有し、例えば視聴者３宅に設置されている受信機３０の近くに設置される視聴者端末装置５０について図４を参照して説明する。この商品販売業者端末装置６０は、据え置き型又は携帯型のパーソナルコンピュータとほぼ同様な構成を有する装置であって、全体の動作を制御する制御プログラム等が保存されたプログラム用記憶部５１と、プログラム用記憶部５１等に保存されたプログラムがロードされる一時記憶部５２と、データを保存するデータ用記憶部５３と、操作信号を入力する入力部５４と、データを表示する表示部５５と、放送装置１０とネットワーク５を介してデータ通信をする通信部５６と、受信機３０と近距離データ通信を行う近距離通信部５７と、全体の動作を制御する制御部５８とを備える。
【００８６】
プログラム用記憶部５１は、ハードディスク、ＲＯＭ、ＥＥＰＲＯＭ、フラッシュメモリ等で構成されている。プログラム用記憶部５１には、各種資源を管理するオペレーティングシステム、放送装置１０や受信機３０とデータ通信を行うための通信プログラム等が格納されている。また、このプログラム用記憶部５１は、書換可能な記憶媒体を用いることで、通信部５６、更に他のリムーバル記録媒体から入力されたアップデート用のプログラムに、現在保存されているプログラムを書き換えることができる。一時記憶部５２は、ＲＡＭ等で構成されている。この一時記憶部５２には、プログラム用記憶部５１に格納されている各種プログラムがロードされる。
【００８７】
また、データ用記憶部５３は、書換可能な記録媒体であって、ハードディスク、ＥＥＰＲＯＭ等の内蔵型の記録媒体の他、フラッシュメモリを記憶素子に用いるＩＣカード、テープカートリッジ、ディスクカートリッジ等のリムーバル記録媒体で構成されている。なお、このデータ用記憶部５３には、近距離通信によって受信機３０から送信された番組データを保存するようにしてもよい。データ用記憶部５３に番組データを保存するときには、ＭＰＥＧ−２ＡＡＣ、ＪＰＥＧ等の方式で符号化し、データサイズを小さくして保存するようにしてもよい。この場合、データ用記憶部５３に保存されている番組データは、再生時、視聴者端末装置５０に接続されている図示しないスピーカから再生音として放音され、また、近距離通信で受信機３０に送信され、スピーカ３７より再生音として放音される。
【００８８】
入力部５４は、キーボード、マウス、テンキー等で構成されており、視聴者３の操作に応じて各種操作信号を生成する。表示部５５は、陰極線管、液晶表示パネル等であり、各種データを表示する。
【００８９】
近距離通信部５７は、近距離通信インタフェースを有しており、受信機３０との間で近距離通信を行う。具体的に、近距離通信部５７は、視聴者３がショッピング番組で商品を購入する注文をしたとき、受信機３０の通信部４５より送信された暗号化されている商品ＩＤと受信機ＩＤとからなる暗号化データを受信する。通信部５６は、ネットワーク５を介して放送装置１０等と通信を行うためのものであり、近距離通信部５７で受信した受信機３０の通信部４５より送信された暗号化されている商品ＩＤと受信機ＩＤとからなる暗号化データをネットワーク５を介して放送装置１０に送信する。
【００９０】
制御部５８は、ＣＰＵ等で構成されている。制御部５８は、受信機３０から送信された暗号化されている商品ＩＤと受信機ＩＤとからなる暗号化データを受信すると、この暗号化データを、通信部５６より放送装置１０にネットワーク５を介して送信する。
【００９１】
以上のように構成された視聴者端末装置５０は、視聴者３が受信機３０でショッピング番組を視聴し、紹介されている商品の注文を行うとき、放送局２に対する注文データとなる暗号化されている商品ＩＤと受信機ＩＤとからなる暗号化データを、受信機３０から放送装置１０に送信する際の中継装置として機能する。すなわち、視聴者端末装置５０は、制御部５８の制御に基づいて、受信機３０から送信された暗号化されている商品ＩＤと受信機ＩＤとからなる暗号化データと商品の紹介時間データを受信すると、これらのデータを、通信部５６より放送装置１０にネットワーク５を介して送信する。勿論、視聴者３が商品の注文履歴等を管理するため、データ用記憶部５３に注文を行った商品ＩＤ、注文日時、値段等を保存するようにしてもよい。
【００９２】
なお、本発明を適用した通信システム１では、視聴者端末装置５０を介して注文を放送局２に対して行う例を説明したが、受信機３０に直接放送装置１０に送品注文を行わせるとき、この視聴者端末装置５０は、必ずしも必要となるものではない。
【００９３】
次に、商品販売業者４が所有する商品販売業者端末装置６０は、据え置き型又は携帯型のパーソナルコンピュータとほぼ同様な構成を有する装置である。この商品販売業者端末装置６０は、図５に示すように、全体の動作を制御する制御プログラム等が保存されたプログラム用記憶部６１と、プログラム用記憶部６１等に保存されたプログラムがロードされる一時記憶部６２と、データを保存するデータ用記憶部６３と、ショッピング番組で紹介する商品を管理する商品管理テーブルが保存された商品データ記憶部６４と、顧客データを管理する顧客管理テーブルが保存された顧客データ記憶部６５と、操作信号を入力する入力部６６と、データを表示する表示部６７と、放送装置１０とネットワーク５を介してデータ通信をする通信部６８と、全体の動作を制御する制御部６９とを備える。
【００９４】
プログラム用記憶部６１は、ハードディスク、ＲＯＭ、ＥＥＰＲＯＭ、フラッシュメモリ等で構成されている。プログラム用記憶部６１には、各種資源を管理するオペレーティングシステム、放送装置１０等とデータ通信を行うための通信プログラム等が格納されている。また、このプログラム用記憶部６１は、書換可能な記憶媒体を用いることで、通信部６８、更に他のリムーバル記録媒体から入力されたアップデート用のプログラムに、現在保存されているプログラムを書き換えることができる。一時記憶部６２は、ＲＡＭ等で構成されている。この一時記憶部６２には、プログラム用記憶部６１に格納されている各種プログラムがロードされる。
【００９５】
また、データ用記憶部６３は、書換可能な記録媒体であって、ハードディスク、ＥＥＰＲＯＭ等の内蔵型の記録媒体の他、フラッシュメモリを記憶素子に用いるＩＣカード、テープカートリッジ、ディスクカートリッジ等のリムーバル記録媒体で構成されている。
【００９６】
商品データ記憶部６４は、データ用記憶部６３と同じ又は別の大容量ハードディスク等からなり、ショッピング番組で紹介する商品を管理する商品管理テーブルが保存されている。具体的に、商品管理テーブルは、下記表６に示すように商品データ記憶部６４に構築されている。
【００９７】
【表６】
2004126744.tif 000008
【００９８】
表６に示すように、この商品管理テーブルは、ショッピング番組で紹介した商品の商品ＩＤと商品名とを対応づけるものであり、フィールドとして、ショッピング番組で紹介する商品の商品名と、ショッピング番組で紹介する他の商品と識別するための商品ＩＤとが設けられている。商品ＩＤは、視聴者３の商品注文が放送装置１０を介して送信されたとき、送品注文に含まれている商品ＩＤに基づいて実際の商品、すなわち商品名を特定できるようにする。
【００９９】
顧客データ記憶部６５は、データ用記憶部６３や商品データ記憶部６４と同じ又は別の大容量ハードディスク等からなり、顧客データを管理する顧客管理テーブルが保存されている。具体的に、顧客管理テーブルは、下記表７に示すように顧客データ記憶部６５に構築されている。
【０１００】
【表７】
2004126744.tif 000009
【０１０１】
表７に示すように、この顧客管理テーブルは、商品注文をした視聴者３に対して商品を郵送等で届ける際に届け先を特定するためのものであり、フィールドとして、放送装置１０で変換された受信機ＩＤと、放送局２と受信契約を締結した契約者名（視聴者名）と、視聴者３の住所と、視聴者３の電話番号とが設けられている。例えば、ショッピング番組の視聴者３からの初めての商品注文があったとき、この顧客管理テーブルには、放送装置１０から送信された変換済みの受信機ＩＤが登録される。更に、顧客管理テーブルには、注文のあった商品の届け先を特定するため、放送装置１０に対して注文を行った視聴者３の氏名、住所、電話番号等の詳細データの送信要求に応じて取得したこれらのデータが登録される。また、２回目以降の注文があったときには、放送装置１０から送信された変換済みの受信機ＩＤによって注文した視聴者３の届け先を特定することができる。
【０１０２】
入力部６６は、キーボード、マウス、テンキー等で構成されており、商品販売業者４の操作に応じて各種操作信号を生成する。表示部６７は、陰極線管、液晶表示パネル等であり、各種データを表示する。通信部６８は、ネットワーク５を介して放送装置１０等と通信を行うためのものであり、放送装置１０から送信されたショッピング番組の商品注文を構成する放送装置１０で変換された受信機ＩＤと商品ＩＤを受信する。また、通信部６８は、商品注文を行った視聴者３が上述した顧客管理テーブルに登録されていないとき、その視聴者３の詳細データを取得するための送信要求を行い、この送信要求に応じた視聴者３の氏名、住所、電話番号等の詳細データを受信する。
【０１０３】
制御部６９は、ＣＰＵ等で構成されている。この制御部６９は、通信部６８で放送装置１０から送信されたショッピング番組の商品注文を構成する放送装置１０で変換された受信機ＩＤと商品ＩＤとを受信したとき、受信機ＩＤを元に、顧客データ記憶部６５に保存されている顧客管理テーブルにアクセスし、受信機ＩＤが既登録であるかどうかを判断し、受信機ＩＤが既登録であるとき、商品ＩＤを元に注文のあった商品を特定する。また、制御部６９は、受信機ＩＤが顧客管理テーブルに未登録であるとき、通信部６８で視聴者３の詳細データを取得するための送信要求を行い、この送信要求に応じた視聴者３の氏名、住所、電話番号等の詳細データを受信し、受信機ＩＤに関連付けて視聴者３の詳細データを顧客管理テーブルに登録する。
【０１０４】
以上のように構成された商品販売業者端末装置６０は、通信部６８で放送装置１０から送信されたショッピング番組の商品注文を構成する放送装置１０で変換された受信機ＩＤと商品ＩＤとを受信する。ここで、商品販売業者端末装置６０が受信する受信機ＩＤは、受信機３０が放送装置１０に送信した受信機ＩＤを商品販売業者端末装置６０に送信するために変換した受信機ＩＤであり、受信機３０に保存されている受信機ＩＤが漏出しないようにしている。商品販売業者端末装置６０は、変換された受信機ＩＤと商品ＩＤとを受信すると、受信機ＩＤを元に、顧客データ記憶部６５に保存されている顧客管理テーブルにアクセスし、受信機ＩＤが既登録であるかどうかを判断し、受信機ＩＤが既登録であるとき、商品ＩＤを元に注文のあった商品を特定する。そして、商品販売業者端末装置６０は、注文のあった商品の届け先等が印刷された伝票等をプリンタより出力する。また、商品販売業者端末装置６０は、制御部６９の制御に基づいて、受信機ＩＤが顧客管理テーブルに未登録であるとき、通信部６８で視聴者３の詳細データを取得するための送信要求を行い、この送信要求に応じた視聴者３の氏名、住所、電話番号等の詳細データを受信し、受信機ＩＤに関連付けて視聴者３の詳細データを顧客管理テーブルに登録する。
【０１０５】
次に、図６を参照して、受信機３０を所有する視聴者３が放送局２に対して視聴者登録する際の手順について説明する。
【０１０６】
放送局２が放送する番組を視聴するために、視聴者登録を行うとき、視聴者３は、操作部３９を操作することによって、受信機３０を視聴者登録を行うための視聴者登録モードにする。次いで、視聴者３は、ステップＳ１において、操作部３９を操作することによって、表示部３８に表示される案内画面に従って、視聴者名、住所、氏名、年齢等視聴者３を特定するための個人データ、決済を行うためのクレジットカードのクレジット番号、銀行の口座データ等の登録申請データを入力する。視聴者３によって以上のような登録申請データが入力され、視聴者３によって送信操作が行われると、ステップＳ２において、受信機３０の制御部４７は、入力された登録申請データを、通信部４５より所定の伝送プロトコルに従ってネットワーク５を介して放送局２の放送装置１０に送信する。また、受信機３０の制御部４７は、受信機ＩＤ用記憶部４０より受信機ＩＤを読み出し、読み出した受信機ＩＤを登録申請データと共に通信部４５より所定の伝送プロトコルに従ってネットワーク５を介して放送局２の放送装置１０に送信する。なお、登録申請データや受信機ＩＤは、視聴者端末装置５０を介して放送装置１０に送信するようにしてもよい。
【０１０７】
受信待機状態にある放送局２の放送装置１０は、ステップＳ３において、通信部１８で、受信機３０からネットワーク５を介して送信された登録申請データと受信機ＩＤとを受信する。次いで、ステップＳ４において、放送装置１０の制御部２３は、受信機３０から送信された受信機ＩＤが視聴者管理データ記憶部２０に構築されている上記表２の視聴者管理テーブルに既に登録されているかどうかを判断し、未登録のものであるとき、視聴者管理テーブルに登録する。すなわち、制御部２３は、上記表２に示すように、受信機ＩＤと視聴者名とを関連付けて視聴者管理データ記憶部２０の視聴者管理テーブルに登録する。なお、制御部２３は、受信した受信機ＩＤが既登録のものであるとき、その旨を受信機３０に送信し、視聴者３に知らせる。
【０１０８】
ステップＳ５において、放送装置１０の制御部２３は、視聴者登録の完了したことを知らせるアクティベート信号を放送信号としてアンテナ１５より発信する。すなわち、制御部２３は、視聴者登録の完了した受信機ＩＤと暗号化されている番組を復号する暗号鍵復号鍵データとを含むアクティベート信号を生成し、生成したアクティベート信号を多重化してアンテナ１５より発信する。
【０１０９】
ステップＳ６において、受信機３０の制御部４７は、放送装置１０より放送されている放送信号を受信し、復号処理部３５で受信したディジタル多重化処理が施されている放送信号を復号し、復号されたデータよりアクティベート信号を抽出する。そして、制御部４７は、抽出したアクティベート信号に含まれている受信機ＩＤが、受信機ＩＤ用記憶部４０に保存している受信機ＩＤと一致しているとき、アクティベート信号に含まれている暗号復号鍵データを暗号復号鍵用記憶部３４に保存する。したがって、以降、受信機３０は、この暗号鍵復号鍵データで用いてアンテナ３１で受信した放送信号の暗号を復号して番組を視聴することができるようになる。なお、制御部４７は、抽出したアクティベート信号に含まれている受信機ＩＤが、受信機ＩＤ用記憶部４０に保存している受信機ＩＤと一致しないとき、処理を終了する。
【０１１０】
次に、視聴者３が受信機３０を用いて放送局２が放送するショッピング番組で紹介された商品を注文する際の一連の処理手順について図７を参照して説明する。先ず、放送装置１０は、一日の番組プログラムに応じてショッピング番組等の放送を行う。すなわち、放送装置１０は、ショッピング番組を放送するとき、蓄積部１１よりショッピング番組のデータを読み出し、次いで、蓄積部１１より読み出したショッピング番組のデータをディジタル多重化部１２でディジタル多重化し、次いで、ディジタル多重化されたショッピング番組のデータを暗号化部１３で暗号化し、更に、送信処理部１４で暗号化されたショッピング番組のデータを符号化し更に変調してアンテナ１５より発信する。ショッピング番組を放送するとき、放送装置１０は、紹介している商品の商品ＩＤ等の付加データと紹介時間データを多重化して放送する。
【０１１１】
また、放送装置１０は、ショッピング番組を放送するとき、又は、ショッピング番組の放送時間と別の時間帯に、アンテナ１５又は通信部１８より紹介時間データとこの紹介時間データに対応づけられている暗号鍵データ、すなわち上記表５に示す暗号鍵データを受信機３０に送信する。受信機３０は、アンテナ３１又は通信部４５で受信した紹介時間データとこの紹介時間データに対応づけられている暗号鍵データを暗号鍵記憶部４１に保存する。
【０１１２】
以上のような状態にある受信機３０は、ステップＳ１１において、アンテナ３１で放送装置１０より発信されたショッピング番組等放送信号を受信すると、受信処理部３２で復調、復号処理を施し、暗号復号部３３で暗号復号鍵用記憶部３４に保存されている暗号復号鍵データを用いて暗号を復号する。ここで、制御部４７は、視聴者３がショッピング番組のチャンネルを操作部３９を用いて選択しており、選択したショッピング番組をショッピング番組を実時間で再生するとき、選択されているチャンネルのデータを復号処理部３５で抽出し、抽出したショッピング番組のデータをＤ／Ａコンバータ３６でディジタル信号をアナログ信号に変換し、スピーカ３７より再生音に変換して出力する。また、復号処理部３５は、ショッピング番組の一部を構成する表示データを抽出し、表示部３８に付加データの一部を構成する商品画像、値段等の表示データを表示する。
【０１１３】
なお、ショッピング番組は、予約をしておくことで、データ用記憶部４３に保存することもできる。すなわち、制御部４７は、選択されているチャンネルのデータを復号処理部３５で抽出し、抽出したショッピング番組のデータをデータ用記憶部４３に保存する。このとき、制御部４７は、ショッピング番組と共に商品ＩＤと紹介時間データを、記録するショッピング番組に関連付けてデータ用記憶部４３に保存する。そして、視聴者３が操作部３９を用いてデータ用記憶部４３に保存してあるショッピング番組を選択し再生開始操作を行うと、制御部４７は、データ用記憶部４３より選択されたショッピング番組を読み出し、読み出したショッピング番組のデータをＤ／Ａコンバータ３６でディジタル信号をアナログ信号に変換し、スピーカ３７より再生音に変換して出力すると共に、ショッピング番組の一部を構成する表示データを抽出し、表示部３８に付加データの一部を構成する商品画像、値段等の表示データを表示する。
【０１１４】
ステップＳ１２において、ショッピング番組の再生中に視聴者３が操作部３９を構成する商品購入釦３９ａを操作すると、受信機３０の制御部４７は、ステップＳ１３において、商品購入釦３９ａからの入力信号を検出し、商品購入釦３９ａが操作されたときの紹介時間データとそのとき紹介されている商品の商品ＩＤを抽出する。また、制御部４７は、上記表５に示す暗号鍵テーブルを参照し、受信機ＩＤ用記憶部４０に保存されている受信機ＩＤを読み出す。
【０１１５】
ステップＳ１４において、受信機３０の制御部４７は、ショッピング番組より抽出した紹介時間データと暗号鍵記憶部４１に保存されている紹介時間データと照合し、照合された紹介時間データに関連付けられている暗号鍵データを特定する。そして、ステップＳ１５において、制御部４７は、受信機ＩＤ用記憶部４０に保存されている受信機ＩＤと抽出した商品ＩＤとを特定した暗号鍵データで暗号化し暗号化データを生成し、ステップＳ１６において、抽出した紹介時間データと生成した暗号鍵データとを近距離通信部４９より視聴者端末装置５０に送信する。
【０１１６】
近距離通信部５７が受信待機状態にある視聴者端末装置５０の制御部５８は、ステップＳ１７において、近距離通信部５７で受信機３０の近距離通信部４９より送信された紹介時間データと暗号鍵データとを受信すると、次いで、ステップＳ１８において、近距離通信部５７で受信した紹介時間データと暗号鍵データとを通信部５６よりネットワーク５を介して放送装置１０に送信する。
【０１１７】
次に、受信機３０から送信された商品注文を受け付けた放送装置１０等の一連の処理手順について図８を参照して説明する。通信部１８が受信待機状態にある放送装置１０の制御部２３は、ステップＳ２１において、通信部１８で、視聴者端末装置５０から送信された紹介時間データと暗号鍵データとを受信すると、ステップＳ２２において、表１のリンクテーブルにアクセスし、受信した商品紹介時間データに基づいて暗号鍵データを特定する。そして、制御部２３は、ステップＳ２３において、この特定した暗号鍵データによって受信機ＩＤ及び商品ＩＤの暗号化データを復号し、受信機３０から送信された受信機ＩＤ及び商品ＩＤとを抽出する。
【０１１８】
ステップＳ２４において、放送装置１０の制御部２３は、表１のリンクテーブルにアクセスし、受信した紹介時間データによって特定される商品ＩＤと暗号を復号して得られる商品ＩＤとが一致しているかを判断してショッピング番組で紹介した商品であるかの認証を行い、また、表２の視聴者管理テーブルにアクセスし、視聴者３からの注文であるかの認証処理を行う。すなわち、放送装置１０は、受信機ＩＤの認証を行うことで、視聴者３になりすまして商品を購入しようとする者等不正購入を防止し、また、ショッピング番組で紹介されていない商品の注文を防止する。放送装置１０の制御部２３は、受信機ＩＤ、商品ＩＤの両方の認証が取れたとき、ステップＳ２６に進み、受信機ＩＤ、商品ＩＤの両方の認証が取れなかったときステップＳ２５に進む。
【０１１９】
認証が取れなかったとき、放送装置１０の制御部２３は、ステップＳ２５において、通信部１８より注文元の視聴者端末装置５０及び／又は受信機３０に非認証信号を送信する。具体的に、放送装置１０の制御部２３は、商品ＩＤの認証を取ることができなかった旨、受信機ＩＤの認証を取ることができなかった旨等を注文元に告知する告知データを注文元の視聴者端末装置５０及び／又は受信機３０に送信する。
【０１２０】
ステップＳ２６において、放送装置１０の制御部２３は、注文者の受信機ＩＤを別のユニークＩＤに変換し、ステップＳ２７において、この変換した商品購入注文をした視聴者３の所有する受信機３０を特定するユニークＩＤと、注文された商品ＩＤと、上記表２の視聴者管理テーブルより受信機ＩＤを元に抽出したその他注文をした視聴者３の住所、電話番号等の商品発送に必要となるデータを通信部１８より商品販売業者端末装置６０に送信する。ここで、放送装置１０は、受信機３０が放送装置１０に送信した受信機ＩＤをユニークＩＤに変換し、この変換したユニークＩＤを商品販売業者端末装置６０に送信するようにし、受信機３０に保存されている受信機ＩＤが漏出しないようにする。
【０１２１】
放送装置１０の制御部２３は、ステップＳ２８において、上記表１のリンクテーブルにアクセスし、ステップＳ２３で抽出した商品ＩＤに基づいて注文のあった商品の価格を特定する。また、制御部２３は、上記表２の視聴者管理テーブルにアクセスし、ステップＳ２３で抽出した受信機ＩＤに基づいて視聴者を特定する。そして、制御部２３は、表３の課金データ管理テーブルにアクセスし、この課金データ管理テーブルに、特定した視聴者３に対する課金データ、すなわち注文のあった商品購入金額を記録すると共に、この商品購入金額を合計金額に加算することによって、課金データ管理テーブルを更新する。
【０１２２】
また、放送装置１０の制御部２３は、ステップＳ２９において、表４の支払データ管理テーブルにアクセスし、商品を購入した視聴者３に関するデータを追加し、商品販売業者４への支払合計を更新する。
【０１２３】
ステップＳ３０において、通信部６８が受信待機状態にある商品販売業者端末装置６０の制御部６９は、通信部６８で放送装置１０から送信されたショッピング番組の商品注文を構成する放送装置１０で変換された受信機ＩＤと商品ＩＤとを受信する。
【０１２４】
ステップＳ３１において、商品販売業者端末装置６０の制御部６９は、上記表７の顧客管理テーブルにアクセスし、受信した受信機ＩＤが既登録であるかどうかを判断し、受信機ＩＤが既登録であるとき、受信した商品ＩＤに基づいて、注文のあった商品を特定する。また、制御部６９は、受信機ＩＤが顧客管理テーブルに未登録であるとき、通信部６８で視聴者３の詳細データを取得するための送信要求を行い、この送信要求に応じた視聴者３の氏名、住所、電話番号等の詳細データを受信し、受信機ＩＤに関連付けて視聴者３の詳細データを顧客管理テーブルに登録する。そして、商品販売業者端末装置６０は、注文のあった商品の届け先等が印刷された伝票等をプリンタより出力し、注文のあった商品を注文者に郵送する。かくして、視聴者３は、ショッピング番組で紹介された商品を入手することができる。
【０１２５】
以上のような通信システム１では、決済処理を次のようにして行う。例えば、放送装置１０の制御部２３は、視聴者３との決済を行うとき、上記表３の視聴者管理テーブルにアクセスし、視聴者３毎の課金データを抽出し、この抽出した課金データを、上記表２の視聴者管理テーブルに記録されているクレジットカード番号等と共に例えば専用線で接続された図示しない信販会社のサーバ装置、銀行のサーバ装置等の決済サーバ装置に送信する。ここで、決済サーバに送信する視聴者３毎の課金データは、受信料に、商品購入代金を加算した金額である。すなわち、この通信システム１では、放送局２が、商品販売業者４に代わって商品の購入代金を徴収する。放送局２は、視聴者３より徴収した商品の代金を商品販売業者４に支払う必要がある。放送装置１０の制御部２３は、商品販売業者４に対して視聴者３から徴収した商品の代金を支払うため、上記表４に示す支払管理テーブルにアクセスし、商品支払業者４毎の支払データを抽出し、この抽出した商品販売業者４毎の支払データを例えば専用線で接続された図示しない信販会社のサーバ装置、銀行のサーバ装置等の決済サーバ装置に送信する。かくして、放送装置１０から専用線を介して視聴者３に対する課金データと商品販売業者４への支払データとを取得した金融サーバ装置は、放送局２、視聴者３及び商品販売業者４の口座データ等を更新し、決済処理を行う。
【０１２６】
以上のように構成された通信システム１では、上記図６を用いて説明したように、視聴者名、住所、氏名、年齢等視聴者３を特定するための個人データ、決済を行うためのクレジットカードのクレジット番号、銀行の口座データ等の秘匿性の高いデータを放送装置１０の上記表２の視聴者管理テーブルに登録し、ショッピング番組で紹介された商品を購入するとき、商品ＩＤ、受信機ＩＤ及び紹介時間データを送信するようにし、従来のように電話を使用して口頭で注文を行う必要が無いことから、商品注文を容易に行うことができる。すなわち、この通信システム１では、視聴者３がショッピング番組を見ながら受信機３０の商品購入釦３９ａを操作するだけで、商品注文を行うことができる。
【０１２７】
また、この通信システム１では、ショッピング番組で紹介された商品を購入するとき、口頭で又は視聴者端末装置５０よりネットワーク５を介してクレジットカードのクレジット番号、銀行の口座データ等の秘匿性の高いデータを放送装置１０に送信する必要が無いことから、視聴者３の秘匿性の高いデータが不正に第三者に取得されることを防止することができる。
【０１２８】
更に、この通信システム１では、受信機３０で受信し再生したショッピング番組で紹介された所望の商品を購入するとき、受信機ＩＤと商品ＩＤとを紹介時間データに関連付けられた暗号鍵データで暗号化されて視聴者端末装置５０を介して送信されることから、仮に不正な第三者によって暗号化された受信機ＩＤと商品ＩＤが取得されたときであっても、暗号鍵データが特定され、暗号が解読されることを防止することができる。
【０１２９】
更に、暗号鍵が関連付けられた商品の紹介時間データは、グリニッジ標準時を基準とする各国又は各地域の標準時間とするのではなく、番組開始時間からの経過時間としている。したがって、この通信システム１では、ショッピング番組を記録装置、受信機３０等で記録するようにし、実際の放送時間とずれた時間に視聴者３がショッピング番組を視聴したときにも、ショッピング番組中紹介された商品や暗号鍵データを特定することが。すなわち、この通信システム１では、実際の放送時間とずれた時間に視聴者３がショッピング番組を視聴したときにも、商品の注文を行うことができる。
【０１３０】
更に、この通信システム１では、放送装置１０が商品販売業者４に注文内容を送信するとき、商品販売業者端末装置６０に商品ＩＤと共に受信機３０に格納されている受信機ＩＤを変換したユニークＩＤを送信することから、受信機ＩＤが放送局２の外部に漏れることを防止することができる。
【０１３１】
なお、以上の例では、ラジオ放送を例に取り説明したが、この放送は、テレビジョン放送であってもよい。
【０１３２】
【発明の効果】
本発明によれば、放送局により放送される商品識別データと、放送内容特定データを含む商品販売データを受信機で受信し、ユーザ操作に応じて、受信機により受信される商品販売データを特定する放送内容特定データに基づいて特定される鍵データにより、受信機が、商品識別データ及び受信機識別データを暗号化して暗号化データを放送局に送信することで、視聴者の商品注文操作を容易とし、更に、注文した商品の商品識別データ及び受信機識別データが不正な第三者に取得されることを防止することができる。
【図面の簡単な説明】
【図１】本発明を適用した通信システムの構成を説明する図である。
【図２】上記通信システムを構成する放送装置の構成を説明するブロック図である。
【図３】上記通信システムを構成する受信機の構成を説明するブロック図である。
【図４】上記通信システムを構成する視聴者端末装置の構成を説明するブロック図である。
【図５】上記通信システムを構成する商品販売業者端末装置の構成を説明するブロック図である。
【図６】受信機を所有する視聴者が放送局に対して視聴者登録する際の手順を説明するフローチャートである。
【図７】視聴者が受信機を用いて放送局２が放送するショッピング番組で紹介された商品を注文する際の一連の処理手順を説明するフローチャートである。
【図８】受信機から送信された商品注文を受け付けた放送装置等の一連の処理手順を説明するフローチャートである。
【符号の説明】
１　通信システム、２　放送局、３　視聴者、４　商品販売業者、５　ネットワーク、１０　放送装置、３０　受信機、５０　視聴者端末装置、６０　商品販売業者端末装置
【図１】
2004126744.tif 000010
【図２】
2004126744.tif 000011
【図３】
2004126744.tif 000012
【図４】
2004126744.tif 000013
【図５】
2004126744.tif 000014
【図６】
2004126744.tif 000015
【図７】
2004126744.tif 000016
【図８】
2004126744.tif 000017